(57)【特許請求の範囲】
【請求項１】
複数の段床材を上下方向に並設して梁上に設置する段床材の設置構造であって、
前記段床材は、前後方向に延びる踏み面部と上下方向に延びる蹴上げ部とが一体的に備えられ、
前記段床材は、前記踏み面部から下方側に延びる取付部を設置予定箇所の取付孔部に挿入させて、設置予定箇所に設置され、
上下方向に隣接する段床材において、一方側の段床材における前記踏み面部の端側部位が他方側の段床材における前記蹴上げ部と上下方向で重複する状態で設置され、
少なくとも１つの前記段床材は、前記取付部を前記取付孔部に挿入させた状態で設置予定箇所よりも前方側に段床材を位置させたのち、その段床材を後方側に移動させることで、設置予定箇所に対して前方側から後方側への横側方から差し込んで設置する横側方差し込み式の段床材とし、
その横側方差し込み式の段床材を設置する設置予定箇所の取付孔部は、前後方向に長尺に形成され、且つ、その取付孔部の前端側領域が、上方側に隣接する設置済みの段床材又は床スラブ材と横側方差し込み式の段床材とが干渉せずに、横側方差し込み式の段床材の取付部を上方側から挿入可能な位置に配設され、
前記横側方差し込み式の段床材は、上方側に隣接する前記段床材又は床スラブ材を設置済みの状態で、取付孔部の前端側領域に取付部を挿入させたのち、後方側に移動させて、設置予定箇所に設置可能である段床材の設置構造。
【請求項２】
請求項１に記載の段床材の設置構造を有する段床材の設置方法であって、
上下方向に並ぶ複数の設置予定箇所のうち、特定箇所に設置する段床材を前記横側方差し込み式の段床材とし、
特定箇所または特定箇所を含む下方側に位置する設置予定箇所への前記段床材の設置よりも先行して又はそれと併行して、特定箇所よりも上方側に位置する設置予定箇所への前記段床材の設置を行う段床材の設置方法。
【発明の詳細な説明】
【技術分野】
【０００１】
本発明は、複数の段床材を並設して梁上に設置する段床材の設置構造、及び、段床材の設置方法に関する。
【背景技術】
【０００２】
上記の段床材は、例えば、踏み面部と蹴上げ部を有する側面視Ｌ形状のプレキャストコンクリートにて構成されている。階段状に形成された梁の上面に、複数の段床材を上下方向に並設して設置することで、競技場等の観客席の段床が構成されている（例えば、特許文献１、２参照。）。
【先行技術文献】
【特許文献】
【０００３】
【特許文献１】特許第３３９８８０８号公報
【特許文献２】特開平９−２７３３２３号公報
【発明の概要】
【発明が解決しようとする課題】
【０００４】
段床材を梁上に設置する場合には、通常、梁の設置予定箇所に対して段床材を上方側から差し込むことで、段床材の底部から下方側に延設されたボルト等の取付ロッドを梁の上面に形成された取付孔部に挿入し、その取付孔部にモルタルを充填して段床材を固定している。そして、段床材は、その段床材の踏み面部の先端部を１つ下方側に位置する段床材の蹴上げ部上に載置し、その段床材の先端部と１つ下方側の段床材の後端部を上下に重ね合わせる状態で設置している。
【０００５】
従来、複数の段床材の設置順序は、上下方向の最下位に設置する段床材から上方側に向かって１つずつ順番に設置している。しかしながら、施工条件等によっては、下方側領域よりも上方側領域を先行して段床材を設置したい場合もある。例えば、上下方向の途中部等に仮設構造物等が存在する場合には、その仮設構造物を撤去できるまでそれよりも上方側の段床材の設置を行えず、工期の長期化を招くことになる。また、工事用機械の移動領域では、工事用機械との接触を防止するために、段床材を後から設置するのが望ましい。
【０００６】
この実情に鑑み、本発明の主たる課題は、複数の段床材の設置順序を変更自在とし、効率よく施工を進めて、工期の短縮化を図る段床材の設置構造、及び、段床材の設置方法を提供する点にある。
【課題を解決するための手段】
【０００７】
本発明の第１特徴構成は、複数の段床材を上下方向に並設して梁上に設置する段床材の設置構造であって、
前記段床材は、前後方向に延びる踏み面部と上下方向に延びる蹴上げ部とが一体的に備えられ、
前記段床材は、前記踏み面部から下方側に延びる取付部を設置予定箇所の取付孔部に挿入させて、設置予定箇所に設置され、
上下方向に隣接する段床材において、一方側の段床材における前記踏み面部の端側部位が他方側の段床材における前記蹴上げ部と上下方向で重複する状態で設置され、
少なくとも１つの前記段床材は、前記取付部を前記取付孔部に挿入させた状態で設置予定箇所よりも前方側に段床材を位置させたのち、その段床材を後方側に移動させることで、設置予定箇所に対して前方側から後方側への横側方から差し込んで設置する横側方差し込み式の段床材とし、
その横側方差し込み式の段床材を設置する設置予定箇所の取付孔部は、前後方向に長尺に形成され、且つ、その取付孔部の前端側領域が、上方側に隣接する設置済みの段床材又は床スラブ材と横側方差し込み式の段床材とが干渉せずに、横側方差し込み式の段床材の取付部を上方側から挿入可能な位置に配設され、
前記横側方差し込み式の段床材は、上方側に隣接する前記段床材又は床スラブ材を設置済みの状態で、取付孔部の前端側領域に取付部を挿入させたのち、後方側に移動させて、設置予定箇所に設置可能である点にある。
【０００８】
本特徴構成によれば、横側方差し込み式の段床材は、上方側に隣接する段床材又は床スラブ材を設置済みの状態で設置予定箇所に設置可能であるので、横側方差し込み式の段床材の設置予定箇所よりも上方側に位置する設置予定箇所に先行して段床材を設置する又は床スラブ材を設置し、横側方差し込み式の段床材を後付け設置できる。これにより、上下方向の最下位に設置する段床材から上方側に向かって１つずつ順番に設置しなくても、施工状況等に応じて、複数の段床材の設置順序を変更することができる。例えば、上下方向の途中部等に仮設構造物等が存在する場合には、その仮設構造物が存在する箇所を横側方差し込み式の段床材の設置予定箇所とすることで、仮設構造物の撤去を待たずに、それよりも上方側の段床材の設置を先行して行うことができ、工期の短縮化を図ることができる。また、例えば、工事用機械の移動領域に位置する設置予定箇所に横側方差し込み式の段床材を後付け設置することで、その段床材と工事用機械との接触を防止することもできる。
【０００９】
本発明の第２特徴構成は、請求項１に記載の段床材の設置構造を有する段床材の設置方法であって、
上下方向に並ぶ複数の設置予定箇所のうち、特定箇所に設置する段床材を前記横側方差し込み式の段床材とし、
特定箇所または特定箇所を含む下方側に位置する設置予定箇所への前記段床材の設置よりも先行して又はそれと併行して、特定箇所よりも上方側に位置する設置予定箇所への前記段床材の設置を行う点にある。
【００１０】
本特徴構成によれば、特定箇所または特定箇所を含む下方側に位置する設置予定箇所と、特定箇所よりも上方側に位置する設置予定箇所との間で、特定箇所よりも上方側に位置する設置予定箇所を先行して段床材を設置する、又は、両方を併行して段床材を設置することができる。これにより、施工状況等に応じて、段床材の設置順序を柔軟に変更しながら効率よく施工を進めることができ、工期の短縮化を図ることができる。
【図面の簡単な説明】
【００１１】
【図１】段床材の設置構造を示す側面図
【図２】横側方差し込み式の段床材の設置方法を示す側面図
【図３】段床材の設置構造の一部を示す側面図
【図４】第２実施形態における段床材の設置構造を示す側面図
【発明を実施するための形態】
【００１２】
本発明に係る段床材の設置構造、及び、段床材の設置方法の実施形態を図面に基づいて説明する。
〔第１実施形態〕
この段床材の設置構造は、図１に示すように、複数の段床材１〜４を上下方向に並設して梁５上に設置する構造である。梁５は、前後方向に延びる階段状に形成され、前後方向に間隔を隔てて配置された複数の支柱６にて支持されている。図示は省略するが、梁５は、横幅方向（左右方向）に間隔を隔てて複数配置され、段床材１〜４は、横幅方向（左右方向）に間隔を隔てた２つの梁５に亘る状態でその左右両端部が２つの梁５の夫々に支持されている。
【００１３】
この実施形態では、段床材１〜４として、第１段床材１と第２段床材２と第３段床材３と第４段床材４との４種類が備えられている。第１段床材１及び第２段床材２は、１段分の段床材にて構成され、第３段床材３及び第４段床材４は、２段分の段床材にて構成されている。
【００１４】
第１段床材１は、梁５上で上下方向に並設された複数の設置予定箇所のうち、最上位の設置予定箇所（特定箇所Ｔ）に設置され、第２段床材２は、最下位の設置予定箇所（特定箇所Ｔ）に設置される。第３段床材３は、複数の設置予定箇所のうち、最下位よりも１つ上方側に位置する設置予定箇所Ｔ１に設置され、第４段床材４は、最下位よりも２つ上方側と最上位との間の領域Ｔ２に位置する複数の設置予定箇所の夫々に設置される。
【００１５】
第１〜第４段床材１〜４は、いずれも、前後方向に延びる踏み面部１ａ〜４ａとその踏み面部１ａ〜４ａの後端部から上方側に延びる蹴上げ部１ｂ〜４ｂとを有している。第１〜第４段床材１〜４は、その踏み面部１ａ〜４ａの前端側部位が梁５から前方側に突出する状態で設置され、第１、第３及び第４段床材１、３、４は、その踏み面部１ａ、３ａ、４ａの前端側部位が、１つ下方側に位置する第２、第３及び第４段床材２、３、４の蹴上げ部２ｂ、３ｂ、４ｂと上下方向で重複するように構成されている。
【００１６】
第１段床材１は、図２に示すように、踏み面部１ａと蹴上げ部１ｂを備えた側面視Ｌ字状に形成され、踏み面部１ａの前端側底部に下方側に突出する下側凸部１ｃが形成されている。第２段床材２は、図１に示すように、踏み面部２ａと蹴上げ部２ｂに加えて、踏み面部２ａの前端側に上方側に延びる起立壁部２ｆを備えた側面視コ字状に形成されている。
【００１７】
第４段床材４は、図１に示すように、踏み面部４ａと蹴上げ部４ｂを２つずつ備えた２段分の側面視Ｌ字状に形成され、踏み面部４ａの前端側底部に下方側に突出する下側凸部４ｃが形成され、蹴上げ部４ｂの後端側上部に上方側に突出する上側凸部４ｄが形成されている。第３段床材３は、第４段床材４と比べて、踏み面部３ａの前端側底部に下方側に突出する下側凸部が形成されていない点だけが異なる構成であり、その他の構成は第４段床材４と同様であるので、詳細な図示は省略する。
【００１８】
第１〜第４段床材１〜４は、図１及び図２に示すように、その踏み面部１ａ〜４ａの底部から下方側に延びるボルト等の取付ロッド１ｅ、４ｅを梁５の取付孔部５ａ、５ｂに挿入し、その取付孔部５ａ、５ｂにモルタルを充填して設置予定箇所に設置している。また、第１〜第４段床材１〜４を設置するに当たり、第１〜第４段床材１〜４と梁５の上面との間や第１〜第４段床材１〜４同士の間をシールする。ちなみに、第２及び第３段床材２、３の取付ロッドは、第１及び第４段床材１、４の取付ロッド１ｅ、４ｅと同様であるので、詳細な図示は省略する。
【００１９】
図１に示すように、第１取付孔部５ａは、第４段床材４の設置予定箇所（領域Ｔ２に相当する設置予定箇所）に形成されている。第１取付孔部５ａは、第４段床材４の取付ロッド４ｅよりも少し大径の円形状に形成されている。第４段床材４の設置方法は、梁５上の設置予定箇所の上方に第４段床材４を位置させ、第４段床材４を上方側から梁５上に差し込み、第４段床材４の取付ロッド４ｅを第１取付孔部５ａに挿入することで、梁５の設置予定箇所に第４段床材４を位置させる。設置予定箇所に第４段床材４を位置させた状態で、第１取付孔部５ａにモルタルを充填して、梁５の設置予定箇所に第４段床材４を設置する。
【００２０】
それに対して、図２に示すように、第１段床材１の設置予定箇所（特定箇所Ｔ）には、第１段床材１の取付ロッド１ｅよりも少し大径で且つ前後方向に長尺な長孔状の第２取付孔部５ｂが形成されている。第１段床材１の設置方法は、図２（ａ）に示すように、まず、梁５の設置予定箇所よりも前方側箇所の上方に第１段床材１を位置させ、第１段床材１を上方側から梁５上に差し込み、第１段床材１の取付ロッド１ｅを第２取付孔部５ｂの前端側領域に挿入することで、梁５の設置予定箇所よりも前方側箇所に第１段床材１を位置させる。次に、図２（ｂ）に示すように、第１段床材１を後方側に移動させることで、第１段床材１の取付ロッド１ｅを第２取付孔部５ｂ内で前端側領域から後端側領域に移動させ、梁５の設置予定箇所に第１段床材１を位置させる。図２（ｃ）に示すように、設置予定箇所に第１段床材１を位置させた状態で、第２取付孔部５ｂにモルタルを充填して、梁５の設置予定箇所に第１段床材１を設置する。
【００２１】
第３段床材３の設置方法は、第４段床材４の設置方法と同様であり、第２段床材２の設置方法は、第１段床材１の設置方法と同様であるので、詳細な説明及び図示は省略する。
【００２２】
第１及び第２段床材１、２は、設置予定箇所（特定箇所Ｔ）に対してそれよりも前方側箇所に位置させた状態から後方側に移動させて設置予定箇所に差し込むので、設置予定箇所に対して横側方から差し込んで設置する横側方差し込み式の段床材として構成されている。第１段床材１は、その設置予定箇所の上方側に隣接して床スラブ材７が設置された状態で設置予定箇所に設置可能であり、第２段床材２は、上方側に隣接する第３段床材３を設置済みの状態で設置予定箇所に設置可能である。
【００２３】
以下、本発明に係る段床材の設置方法について説明する。
図１に示すように、上下方向に並ぶ複数の設置予定箇所のうち、特定箇所Ｔに設置する段床材を横側方差し込み式の第１及び第２段床材１、２とする。そして、特定箇所Ｔよりも先行して、特定箇所Ｔよりも上方側に位置する設置予定箇所（Ｔ１、領域Ｔ２に相当する設置予定箇所）への第３及び第４段床材３、４の設置及び床スラブ材７の施工を行う。
【００２４】
この実施形態では、特定箇所Ｔを最下位及び最上位の設置予定箇所とし、図１に示すように、下記の施工順序にて施工する。ちなみに、（１）と（２）については、併行して行うことも可能である。
（１）：床スラブ材７の設置（構築）、及び、床スラブ材７を作業床とした他部位の施工
（２）：最下位よりも１つ上方側に位置する設置予定箇所Ｔ１、及び、最下位よりも２つ上方側と最上位との間の領域Ｔ２における複数の設置予定箇所に対する第３及び第４段床材３、４の設置
（３）：最下位及び最上位の特定箇所Ｔに対する第１及び第２段床材１、２の設置
【００２５】
（１）において床スラブ材７を作業床とした他部位の施工を行う際に、図３に示すように、最上位の設置予定箇所（特定箇所Ｔ）に第１段床材１を設置していないので、そのスペースを利用して床スラブ材７の端部に手摺８を設けることができる。これにより、足場を組み立てることなく、手摺８を用いて床スラブ材７を作業床とした他部位の施工を行うことができる。
【００２６】
（２）では、まず、最下位よりも１つ上方側に位置する設置予定箇所Ｔ１に第３段床材３を設置する。この第３段床材３の設置方法は、上述の如く、梁５の設置予定箇所に対して第３段床材３を上方側から差し込むことで、第３段床材３の取付ロッドを第１取付孔部５ａに挿入して、設置予定箇所に第３段床材３に位置させて、モルタルの充填により設置予定箇所に第３段床材３を設置する。
【００２７】
次に、領域Ｔ２における複数の設置予定箇所に対して、最下位から１つずつ順番に第４段床材４を設置する。この第４段床材４の設置方法は、上述の如く、梁５の設置予定箇所に対して第４段床材４を上方側から差し込むことで、第４段床材４の取付ロッド４ｅを第１取付孔部５ａに挿入して、設置予定箇所に第４段床材４に位置させて、モルタルの充填により設置予定箇所に第４段床材４を設置する。
【００２８】
第３段床材３を設置済みの状態でその１つ上方側に第４段床材４を設置する場合には、設置済みの第３段床材３の蹴上げ部３ｂと第４段床材４の踏み面部４ａの前端側部位とを上下に重ね合わせて第４段床材４を設置する。また、第４段床材４を設置済みの状態でその１つ上方側に第４段床材４を設置する場合にも、設置済みの第４段床材４の蹴上げ部４ｂと第４段床材４の踏み面部４ａの前端側部位とを上下に重ね合わせて第４段床材４を設置する。
【００２９】
図１に基づいて、設置済みの第４段床材４の１つ上方側に第４段床材４を設置する場合について説明する。設置済みの第４段床材４には、その蹴上げ部４ｂの後端側部位に上側凸部４ｄが形成され、その上側凸部４ｄよりも前端側部位が下方側に窪んだ凹状部位に形成されている。上方側の第４段床材４には、その踏み面部４ａの前端側部位に下側凸部４ｃが形成されている。そして、設置済みの第４段床材４の蹴上げ部４ｂに上方側の第４段床材４の踏み面部４ａの前端側部位を上下に重ね合わせることで、上方側の第４段床材４の下側凸部４ｃを、設置済みの第４段床材４の上側凸部４ｄよりも前方側部位の凹状部位に嵌り込み、その嵌り込んだ状態で上方側の第４段床材４を設置している。
【００３０】
（１）及び（２）を先行して施工することで、最下位及び最上位の特定箇所Ｔを除く、複数の設置予定箇所（Ｔ１、領域Ｔ２に相当する設置予定箇所）に、第３及び第４段床材３、４を先行して設置できる。これにより、最上位の特定箇所Ｔに第１段床材１を設置していない状態でも先行して床スラブ材７を設置できるとともに、最下位の特定箇所Ｔに第２段床材２を設置していない状態でも、最下位よりも上方側の設置予定箇所（Ｔ１、領域Ｔ２に相当する設置予定箇所）に第３及び第４段床材３、４を先行して設置できる。よって、複数の段床材１〜４の施工順序を柔軟に変更しながら効率よく施工を進めることができ、工期の短縮化を図ることができる。
【００３１】
（３）では、施工状況等に応じて、最下位及び最上位の特定箇所Ｔに第１及び第２段床材１、２を後付け設置する。最下位の特定箇所Ｔには、上方側に隣接する第３段床材３を設置済みの状態で第２段床材２を設置し、最上位の特定箇所Ｔには、床スラブ材７が設置された状態で第１段床材１を設置する。最下位の特定箇所Ｔへの第２段床材２の設置を後付け設置とすることで、第２段床材２と工事用機械等との接触を防止できる。
【００３２】
第１及び第２段床材１、２の設置方法は、上述の如く、特定箇所Ｔよりも前方側箇所に対して第１及び第２段床材１、２を上方側から差し込み、第１及び第２段床材１、２の取付ロッド１ｅを第２取付孔部５ｂの前方側領域に挿入する。そして、第１及び第２段床材１、２を後方側に移動させて、第１及び第２段床材１、２の取付ロッド１ｅを第２取付孔部５ｂ内で前方側領域から後方側領域に移動させて、特定箇所Ｔに第１及び第２段床材１、２を位置させ、モルタルの充填により特定箇所Ｔに第１及び第２段床材１、２を設置する。
【００３３】
床スラブ材７が設置された状態で第１段床材１を設置する場合には、図２に示すように、最上位の特定箇所Ｔよりも前方側箇所に第１段床材１を位置させた状態から、その第１段床材１を後方側に移動させることで、特定箇所Ｔに第１段床材１を差し込む。このとき、床スラブ材７の端部側底部が平坦状に形成されているので、第１段床材１の後方側への移動を邪魔するものはなく、床スラブ材７の端部側底部の下方側に第１段床材１を入り込ませることができる。これにより、第３及び第４段床材３、４と同様に、第１段床材１の蹴上げ部１ｂと床スラブ材７の端部側部位とを上下に重ね合わせて第１段床材１を設置できる。
【００３４】
図示は省略するが、上方側に隣接する第３段床材３を設置済みの状態で第２段床材２を設置する場合にも、第３段床材３の踏み面部３ａの前端側底部が平坦状に形成されているので、第２段床材２の後方側への移動を邪魔するものはなく、第３段床材３の踏み面部３ａの前端側部位の下方側に第２段床材２を入り込ませることができ、第２段床材２の蹴上げ部２ｂと第３段床材３の踏み面部３ａの前端側部位とを上下に重ね合わせて第２段床材２を設置できる。
【００３５】
〔第２実施形態〕
上記第１実施形態では、横側方差し込み式の第１及び第２段床材１、２を設置する特定箇所Ｔを最下位及び最上位の設置予定箇所としているが、この第２実施形態では、図４に示すように、横側方差し込み式の第１段床材１を設置する特定箇所Ｔを上下方向の途中部としている。
【００３６】
この第２実施形態では、上下方向の途中部である特定箇所Ｔに第１段床材１を設置し、その特定箇所Ｔよりも１つ上方側に位置する設置予定箇所に第３段床材３を設置し、それ以外の複数の設置予定箇所に第４段床材４を設置する。
【００３７】
この第２実施形態における段床材の設置方法について説明する。
特定箇所Ｔを含む下方側に位置する下方側領域Ｒ１の設置予定箇所への第１及び第４段床材１、４よりも先行して、特定箇所Ｔよりも上方側に位置する上方側領域Ｒ２の設置予定箇所への第３及び第４段床材３、４の設置を行う。第１、第３及び第４段床材１、３、４の設置方法は、上記第１実施形態と同様であるので、説明は省略する。
【００３８】
まず、特定箇所Ｔよりも１つ上方側に位置する設置予定箇所に第３段床材３を設置し、次に、特定箇所Ｔよりも２つ上方側に位置する設置予定箇所に第４段床材４を設置する。そして、特定箇所Ｔよりも２つ上方側に位置する設置予定箇所から上方側に向かって第４段床材４を１つずつ順番に設置して、下方側領域Ｒ１の設置予定箇所への第１及び第４段床材１、４の設置よりも先行して上方側領域Ｒ２の設置予定箇所に第３及び第４段床材３、４を設置する。このとき、特定箇所Ｔには第１段床材１が設置されていないので、図中点線で示すように、そのスペースを利用して、第３段床材３の端部に手摺８を設けることができる。これにより、上下方向の途中部であっても、この手摺８を用いて施工等を行える。
【００３９】
特定箇所Ｔを含む下方側に位置する下方側領域Ｒ１の設置予定箇所には、施工状況等に応じて、第１及び第４段床材１、４を後付け設置する。まず、下方側領域Ｒ１の最下位に位置する設置予定箇所に第４段床材４を設置する。そして、その最下位の設置予定箇所から上方側に向かって第４段床材４を１つずつ順番に設置し、特定箇所Ｔの１つ下方側に位置する設置予定箇所まで第４段床材４を設置したのち、特定箇所に第１段床材１を設置する。上記第１実施形態と同様に、第１段床材１は、横側方差し込み式の段床材であるので、特定箇所Ｔよりも１つ上方側に位置する設置予定箇所に第３段床材３が設置済みの状態で特定箇所Ｔに第１段床材１を設置できる。
【００４０】
特定箇所Ｔについては、上下方向の途中部の１箇所に限らず、上下方向に間隔を隔てて複数箇所に設けることができる。この場合でも、複数の特定箇所Ｔの夫々について、特定箇所を基準として、特定箇所Ｔを含む下方側領域Ｒ１の設置予定箇所と特定箇所Ｔよりも上方側の上方側領域Ｒ２とに区分けし、下方側領域Ｒ１の設置予定箇所への第１及び第４段床材１、４の設置よりも先行して、上方側領域Ｒ２の設置予定箇所への第３及び第４段床材３、４の設置を行える。
【００４１】
例えば、梁５の上下方向の途中部に仮設構造物が存在する場合には、その仮設構造物が存在する箇所を特定箇所Ｔとすることで、仮設構造物が存在する状態のままで、その仮設構造物よりも上方側に位置する上方側領域Ｒ２の設置予定箇所に第３及び第４段床材３、４を先行して設置できる。これにより、複数の段床材１、３、４の施工順序を柔軟に変更して、仮設構造物の撤去を待つことなく、効率よい施工を行える。
【００４２】
〔別実施形態〕
（１）上記実施形態では、第１段床材１及び第２段床材２を１段分の段床材とし、第３段床材３及び第４段床材４を２段分の段床材としているが、例えば、第１段床材１及び第２段床材２を２段分の段床材としたり、第３段床材３及び第４段床材４を１段分の段床材とすることもでき、第１〜第４段床材１〜４を何段分の段床材とするかは適宜変更が可能である。
【００４３】
（２）上記実施形態では、第１〜第４段床材１〜４の４種類の段床材を有しているが、例えば、第１段床材１と第４段床材４の２種類のみを有して実施することもでき、複数種の段床材に横側方差し込み式の段床材が含まれていればよい。
【００４４】
（３）上記実施形態では、横側方差し込み式の段床材（第１及び第２段床材１、２）を上下方向で１つずつ配置する例を示したが、例えば、第１段床材１を上下方向に隣接して複数配置することもできる。
【００４５】
（４）上記実施形態では、手摺８の設置箇所を、横側方差し込み式の段床材１よりも１つ上方側に位置する床スラブ材７や段床材３としているが、横側方差し込み式の段床材１に手摺８を設け、例えば、横側方差し込み式の段床材１を仮固定手段等を用いて設置予定箇所に仮設置して手摺８を利用することも可能である。
【００４６】
（５）上記第２実施形態において、施工状況等に応じて、特定箇所Ｔを含む下方側に位置する下方側領域Ｒ１の設置予定箇所への第１及び第４段床材１、４と併行して、特定箇所Ｔよりも上方側に位置する上方側領域Ｒ２の設置予定箇所への第３及び第４段床材３、４の設置を行うこともできる。
【符号の説明】
【００４７】
１          第１段床材（横側方差し込み式の段床材）
２          第２段床材（横側方差し込み式の段床材）
３          第３段床材（段床材）
４          第４段床材（段床材）
５          梁
７          床スラブ材
Ｔ          特定箇所
【図１】
0006722445.tif 000002
【図２】
0006722445.tif 000003
【図３】
0006722445.tif 000004
【図４】
0006722445.tif 000005